(57)【要約】  【課題】  製造工数を削減できる光ピックアップ用アクチュエータを提供する。  【解決手段】  基台３に立設されるシャフト４と、シャフト４に嵌合する軸孔２ａを有するレンズホルダ２と、レンズホルダ２に保持される対物レンズ１１と、レンズホルダ２に巻設されるとともに通電によりシャフト４の軸方向にレンズホルダ２を移動させて対物レンズ１１のフォーカシングを行うフォーカシングコイル５と、レンズホルダ２に巻設されるとともに通電によりシャフト４を中心にレンズホルダ２を回動して対物レンズ１１のトラッキングを行うトラッキングコイル６とを備えた光ピックアップ用アクチュエータ１において、フォーカシングコイル５及びトラッキングコイル６をレンズホルダ２に部分接着した。【選択図】      図４
0003111407.tif 000002
【実用新案登録請求の範囲】
【請求項１】
基台に立設されるシャフトと、前記シャフトに嵌合する軸孔を有するレンズホルダと、
前記レンズホルダに保持される対物レンズと、前記レンズホルダに巻設されるとともに通
電により前記シャフトの軸方向に前記レンズホルダを移動させて前記対物レンズのフォー
カシングを行うフォーカシングコイルと、前記レンズホルダに巻設されるとともに通電に
より前記シャフトを中心に前記レンズホルダを回動して前記対物レンズのトラッキングを
行うトラッキングコイルとを備えた光ピックアップ用アクチュエータにおいて、前記シャ
フトの軸方向から見て前記フォーカシングコイルを前記シャフトを中心とする矩形の環状
に巻設し、塗布時の粘度が５０００ｍＰａ・ｓ以上の接着剤を前記フォーカシングコイル
の四隅または一組の対辺に塗布して前記フォーカシングコイルを前記レンズホルダに部分
接着するとともに、前記シャフトの径方向から見て前記トラッキングコイルを矩形の環状
に巻設し、塗布時の粘度が５０００ｍＰａ・ｓ以上の接着剤を前記トラッキングコイルの
四隅または一組の対辺に塗布して前記トラッキングコイルを前記レンズホルダに部分接着
したことを特徴とする光ピックアップ用アクチュエータ。
【請求項２】
基台に立設されるシャフトと、前記シャフトに嵌合する軸孔を有するレンズホルダと、
前記レンズホルダに保持される対物レンズと、前記レンズホルダに巻設されるとともに通
電により前記シャフトの軸方向に前記レンズホルダを移動させて前記対物レンズのフォー
カシングを行うフォーカシングコイルと、前記レンズホルダに巻設されるとともに通電に
より前記シャフトを中心に前記レンズホルダを回動して前記対物レンズのトラッキングを
行うトラッキングコイルとを備えた光ピックアップ用アクチュエータにおいて、前記フォ
ーカシングコイル及び前記トラッキングコイルを前記レンズホルダに部分接着したことを
特徴とする光ピックアップ用アクチュエータ。
【請求項３】
前記フォーカシングコイル及び前記トラッキングコイルを接着する接着剤の塗布時の粘
度を４０００ｍＰａ・ｓ以上にしたことを特徴とする請求項２に記載の光ピックアップ用
アクチュエータ。
【請求項４】
前記フォーカシングコイルを接着する前の前記レンズホルダの振動により共振する前記
フォーカシングコイルの振動が大きい位置の上位から少なくとも２箇所に接着剤を塗布す
るとともに、前記トラッキングコイルを接着する前の前記レンズホルダの振動により共振
する前記トラッキングコイルの振動が大きい位置の上位から少なくとも２箇所に接着剤を
塗布して前記フォーカシングコイル及び前記トラッキングコイルを部分接着したことを特
徴とする請求項２または請求項３に記載の光ピックアップ用アクチュエータ。及び前記ト
ラッキングコイル
【請求項５】
前記シャフトの軸方向から見て前記フォーカシングコイルを前記シャフトを中心とする
矩形の環状に巻設し、前記フォーカシングコイルの四隅または一組の対辺に接着剤を塗布
して前記フォーカシングコイルを前記レンズホルダに部分接着したことを特徴とする請求
項２または請求項３に記載の光ピックアップ用アクチュエータ。
【請求項６】
前記シャフトの径方向から見て前記トラッキングコイルを矩形の環状に巻設し、前記ト
ラッキングコイルの四隅または一組の対辺に接着剤を塗布して前記トラッキングコイルを
前記レンズホルダに部分接着したことを特徴とする請求項２または請求項３に記載の光ピ
ックアップ用アクチュエータ。
【考案の詳細な説明】
【技術分野】
【０００１】
本考案は、光ディスクの書き込みまたは読出しを行う光ピックアップの対物レンズを移
動させる光ピックアップ用アクチュエータに関する。
【背景技術】
【０００２】
従来の光ピックアップ用アクチュエータは特許文献１に開示されている。この光ピック
アップ用アクチュエータは光ピックアップの基台に立設したシャフトにレンズホルダが嵌
合されている。レンズホルダはシャフトから離れた一端に対物レンズを保持する。また、
レンズホルダにはシャフトと同心にフォーカシングコイルが巻設されるとともに、シャフ
トの軸方向に垂直な方向を中心にトラッキングコイルが巻設される。
【０００３】
フォーカシングコイル及びトラッキングコイルはレンズホルダに接着されている。これ
により、フォーカシングコイル及びトラッキングコイルは脱落が防止されるとともに制振
されるようになっている。また、基台にはトラッキングコイルに対峙する永久磁石が設け
られる。
【０００４】
フォーカシングコイルに通電して励磁するとレンズホルダがシャフトの軸方向に摺動移
動する。これにより、対物レンズの焦点を光ディスクに合わせることができる。また、ト
ラッキングコイルに通電して励磁すると、レンズホルダがシャフトを中心に回動し、対物
レンズが揺動する。これにより、対物レンズを光ディスクのトラックに追従させることが
できる。
【特許文献１】特開２０００−３４８３６０号公報（第３頁−第４頁、第１図）
【考案の開示】
【考案が解決しようとする課題】
【０００５】
しかしながら、上記従来の光ピックアップ用アクチュエータによると、フォーカシング
コイル及びトラッキングコイルは制振性をよくするため接着剤によりモールドされている
。このため、接着剤の硬化時にレンズホルダの軸孔が収縮して変形する場合がある。その
結果、フォーカシングコイル及びトラッキングコイルの接着後に軸孔を再加工する必要が
あり、光ピックアップ用アクチュエータの製造工数が大きくなる問題があった。
【０００６】
本考案は、製造工数を削減できる光ピックアップ用アクチュエータを提供することを目
的とする。
【課題を解決するための手段】
【０００７】
上記目的を達成するために本考案は、基台に立設されるシャフトと、前記シャフトに嵌
合する軸孔を有するレンズホルダと、前記レンズホルダに保持される対物レンズと、前記
レンズホルダに巻設されるとともに通電により前記シャフトの軸方向に前記レンズホルダ
を移動させて前記対物レンズのフォーカシングを行うフォーカシングコイルと、前記レン
ズホルダに巻設されるとともに通電により前記シャフトを中心に前記レンズホルダを回動
して前記対物レンズのトラッキングを行うトラッキングコイルとを備えた光ピックアップ
用アクチュエータにおいて、前記シャフトの軸方向から見て前記フォーカシングコイルを
前記シャフトを中心とする矩形の環状に巻設し、塗布時の粘度が５０００ｍＰａ・ｓ以上
の接着剤を前記フォーカシングコイルの四隅または一組の対辺に塗布して前記フォーカシ
ングコイルを前記レンズホルダに部分接着するとともに、前記シャフトの径方向から見て
前記トラッキングコイルを矩形の環状に巻設し、塗布時の粘度が５０００ｍＰａ・ｓ以上
の接着剤を前記トラッキングコイルの四隅または一組の対辺に塗布して前記トラッキング
コイルを前記レンズホルダに部分接着したことを特徴としている。
【０００８】
この構成によると、フォーカシングコイルに通電するとレンズホルダがシャフトの軸方
向に移動して対物レンズの焦点が光ディスクに合わせられる。トラッキングコイルに通電
するとシャフトを中心にレンズホルダが回動して対物レンズが揺動し、光ディスクのトラ
ックに対物レンズが追随する。シャフトと同心に巻設されるフォーカシングコイルはシャ
フトの軸方向から見て矩形の四隅または一組の対辺に粘度が５０００ｍＰａ・ｓ以上の接
着剤が塗布される。シャフトの軸に垂直な方向を中心に巻設されるトラッキングコイルは
シャフトの径方向から見て矩形の四隅または一組の対辺に粘度が５０００ｍＰａ・ｓ以上
の接着剤が塗布される。接着剤の硬化によりフォーカシングコイル及びトラッキングコイ
ルは脱落防止及び制振される。
【０００９】
また本考案は、基台に立設されるシャフトと、前記シャフトに嵌合する軸孔を有するレ
ンズホルダと、前記レンズホルダに保持される対物レンズと、前記レンズホルダに巻設さ
れるとともに通電により前記シャフトの軸方向に前記レンズホルダを移動させて前記対物
レンズのフォーカシングを行うフォーカシングコイルと、前記レンズホルダに巻設される
とともに通電により前記シャフトを中心に前記レンズホルダを回動して前記対物レンズの
トラッキングを行うトラッキングコイルとを備えた光ピックアップ用アクチュエータにお
いて、前記フォーカシングコイル及び前記トラッキングコイルを前記レンズホルダに部分
接着したことを特徴としている。
【００１０】
この構成によると、フォーカシングコイルに通電するとレンズホルダがシャフトの軸方
向に移動して対物レンズの焦点が光ディスクに合わせられる。トラッキングコイルに通電
するとシャフトを中心にレンズホルダが回動して対物レンズが揺動し、光ディスクのトラ
ックに対物レンズが追随する。フォーカシングコイル及びトラッキングコイルはレンズホ
ルダに所定のポイントで部分的に接着され、脱落防止及び制振される。
【００１１】
また本考案は、上記構成の光ピックアップ用アクチュエータにおいて、前記フォーカシ
ングコイル及び前記トラッキングコイルを接着する接着剤の塗布時の粘度を４０００ｍＰ
ａ・ｓ以上にしたことを特徴としている。この構成によると、粘度が４０００ｍＰａ・ｓ
以上の接着剤がフォーカシングコイル及びトラッキングコイルの所定のポイントに塗布さ
れ、接着剤の硬化によりフォーカシングコイル及びトラッキングコイルが接着される。
【００１２】
また本考案は、上記構成の光ピックアップ用アクチュエータにおいて、前記フォーカシ
ングコイルを接着する前の前記レンズホルダの振動により共振する前記フォーカシングコ
イルの振動が大きい位置の上位から少なくとも２箇所に接着剤を塗布するとともに、前記
トラッキングコイルを接着する前の前記レンズホルダの振動により共振する前記トラッキ
ングコイルの振動が大きい位置の上位から少なくとも２箇所に接着剤を塗布して前記フォ
ーカシングコイル及び前記トラッキングコイルを部分接着したことを特徴としている。
【００１３】
この構成によると、フォーカシングコイル及びトラッキングコイルを巻設後にレンズホ
ルダを駆動したときにレンズホルダが振動して共振によりフォーカシングコイル及びトラ
ッキングコイルの振動が大きくなる位置が生じる。フォーカシングコイル及びトラッキン
グコイルはこの時の共振による振動の大きい方からそれぞれ少なくとも２箇所に接着剤が
塗布される。フォーカシングコイル及びトラッキングコイルの振動が大きくなる位置は統
計的または数値解析等によって予め求められる。また、フォーカシングコイル及びトラッ
キングコイルの一方を接着した状態で他方の振動が大きくなる位置を求めてもよい。
【００１４】
また本考案は、上記構成の光ピックアップ用アクチュエータにおいて、前記シャフトの
軸方向から見て前記フォーカシングコイルを前記シャフトを中心とする矩形の環状に巻設
し、前記フォーカシングコイルの四隅または一組の対辺に接着剤を塗布して前記フォーカ
シングコイルを前記レンズホルダに部分接着したことを特徴としている。この構成による
と、フォーカシングコイルはシャフトの軸方向から見て矩形の四隅または一組の対辺に接
着剤が塗布される。
【００１５】
また本考案は、上記構成の光ピックアップ用アクチュエータにおいて、前記シャフトの
径方向から見て前記トラッキングコイルを矩形の環状に巻設し、前記トラッキングコイル
の四隅または一組の対辺に接着剤を塗布して前記トラッキングコイルを前記レンズホルダ
に部分接着したことを特徴としている。この構成によると、トラッキングコイルはシャフ
トの径方向から見て矩形の四隅または一組の対辺に接着剤が塗布される。
【考案の効果】
【００１６】
本考案によると、フォーカシングコイル及びトラッキングコイルをレンズホルダに部分
接着したので、接着剤の硬化によるレンズホルダの軸孔の収縮を防止することができる。
従って、軸孔の再加工を省いて光ピックアップ用アクチュエータの製造工数を削減するこ
とができる。
【００１７】
また本考案によると、フォーカシングコイル及びトラッキングコイルを接着する接着剤
の塗布時の粘度を４０００ｍＰａ・ｓ以上にしたので、接着剤の軸孔への流入を防止する
ことができる。
【００１８】
また本考案によると、フォーカシングコイル及びトラッキングコイルを接着する接着剤
の塗布時の粘度を５０００ｍＰａ・ｓ以上にしたので、接着剤の軸孔への流入を更に防止
することができる。
【００１９】
また本考案によると、フォーカシングコイルを接着する前のレンズホルダの振動により
共振するフォーカシングコイルの振動が大きい位置の上位から少なくとも２箇所に接着剤
を塗布するとともに、トラッキングコイルを接着する前のレンズホルダの振動により共振
するトラッキングコイルの振動が大きい位置の上位から少なくとも２箇所に接着剤を塗布
したので、レンズホルダの軸孔の収縮を防止するとともに充分な制振効果を得ることがで
きる。
【００２０】
また本考案によると、フォーカシングコイルの四隅または一組の対辺に接着剤を塗布し
たので、レンズホルダの軸孔の収縮を防止するとともに充分な制振効果を得ることができ
る。
【００２１】
また本考案によると、トラッキングコイルの四隅または一組の対辺に接着剤を塗布した
ので、レンズホルダの軸孔の収縮を防止するとともに充分な制振効果を得ることができる
。
【考案を実施するための最良の形態】
【００２２】
以下に本考案の実施形態を図面を参照して説明する。図１、図２、図３はＣＤやＤＶＤ
等の光ディスクの記録または再生を行う一実施形態の光ピックアップ用のアクチュエータ
を示す側面断面図、正面断面図、上面断面図である。アクチュエータ１は光ディスク（不
図示）に対向配置され、光ピックアップ本体に固定される基台３を有している。アクチュ
エータ１の上面はカバー９により覆われる。カバー９は内面に突設した複数のフック部９
ａを基台３に着脱可能に係合される。
【００２３】
基台３の略中央にはシャフト４が立設され、シャフト４の頂面がカバー９の天板に当接
または近接されている。対物レンズ１１を保持するレンズホルダ２は略中央にボス部２ｂ
が突設され、ボス部２ｂには軸孔２ａが設けられている。軸孔２ａがシャフト４に嵌合し
て、レンズホルダ２がシャフト４の軸方向（フォーカス方向ａ、ｂ）に摺動移動できると
ともにシャフト４を中心にトラッキング方向ｃ、ｄに回動できるようになっている。
【００２４】
ボス部２ｂの周囲にはシャフト４と同心にフォーカシングコイル５が巻設されている。
レンズホルダ２の両側面にはトラッキングコイル６が巻設されている。フォーカシングコ
イル５及びトラッキングコイル６はリード線１０ａを介してプリント基板１０に接続され
、電気信号が供給される。基台３の両側部から起立した起立板３ａにはトラッキングコイ
ル６に一部が重なって対峙する一対の永久磁石７が設置される。また、基台３にビス止め
される一対のヨーク８はトラッキングコイル６を挟んで永久磁石７に対峙し、レンズホル
ダ２のボス部２ｂの周囲に設けた貫通孔２ｅに挿通される。
【００２５】
フォーカシングコイル５に通電して励磁するとレンズホルダ２がシャフト４に沿ってフ
ォーカス方向ａ、ｂに摺動移動する。これにより、対物レンズ１１の焦点が光ディスクに
合わせられる。また、トラッキングコイル６に通電して励磁すると、レンズホルダ２がシ
ャフト４を中心に回動して対物レンズ１１がトラッキング方向ｃ、ｄに揺動する。これに
より、対物レンズ１１を光ディスクのトラックに追従させることができる。
【００２６】
図４はレンズホルダ２の底面図を示している。レンズホルダ２のボス部２ｂには四方に
放射状に延びるリブ２ｃが設けられる。フォーカシングコイル５はリブ２ｃに巻回され、
シャフト４の軸方向から見て略矩形に形成されている。フォーカシングコイル５の四隅に
は接着剤１２が塗布され、フォーカシングコイル５がレンズホルダ２に接着されている。
接着剤１２は熱硬化型樹脂や紫外線硬化型樹脂等から成っている。
【００２７】
図５はレンズホルダ２の側面図を示している。レンズホルダ２の両側面には２列で図中
、上下に延びるリブ２ｄが設けられている。トラッキングコイル６はリブ２ｄに巻回され
、シャフト４の軸方向に垂直な方向から見て略矩形に形成されている。トラッキングコイ
ル６の一組の対向する二辺の中央部には接着剤１２が塗布され、トラッキングコイル６が
レンズホルダ２に接着されている。トラッキングコイル６の一組の対辺上に略点対称に接
着剤を塗布してもよい。
【００２８】
従って、フォーカシングコイル５及びトラッキングコイル６はレンズホルダ２に部分接
着され、接着剤１２の硬化時の軸孔２ａの収縮を防止することができる。これにより、軸
孔２ａの再加工を省いてアクチュエータ１の製造工数を削減することができる。また、接
着剤１２の粘度は６０００ｍＰａ・ｓになっている。このため、所定の位置に塗布した接
着剤１２は粘度が高いため流れにくく、軸孔２ａへの流入を防止することができる。
【００２９】
従って、接着剤１２の流入による軸孔２ａの再加工を省いてアクチュエータ１の製造工
数をより削減することができる。接着剤１２の粘度は４０００ｍＰａ・ｓ以上であれば軸
孔２ａへの流入を充分防止することができる。５０００ｍＰａ・ｓ以上にすると、より確
実に軸孔２ａへの流入を防止することができる。
【００３０】
また、接着剤１２の塗布位置は、フォーカシングコイル５及びトラッキングコイル６を
巻設した後、接着剤の塗布前にレンズホルダ２を駆動したときに、レンズホルダ２が振動
して共振によりフォーカシングコイル５及びトラッキングコイル６の振動が大きくなる位
置になっている。これにより、部分接着であってもフォーカシングコイル５及びトラッキ
ングコイル６を充分制振することができる。
【００３１】
共振によりフォーカシングコイル５及びトラッキングコイル６の振動が大きくなる位置
はレンズホルダー２の形状やリブ２ｃ、２ｄの形状等により異なり、統計的または数値解
析等により予め求められている。この時、フォーカシングコイル５及びトラッキングコイ
ル６の一方を接着した状態で他方の振動が大きくなる位置を求めてもよい。
【００３２】
共振によりフォーカシングコイル５及びトラッキングコイル６の振動が大きい位置の上
位から少なくとも２箇所に接着剤を塗布することにより、より少ない接着剤１２で充分な
制振効果を得ることができる。
【００３３】
本実施形態では、フォーカシングコイル５を巻回するリブ２ｃは四方に延び、トラッキ
ングコイル６を巻回するリブ２ｄは２列に並設されるが、フォーカシングコイル５を巻回
するリブを２列に並設してトラッキングコイル６を巻回するリブを四方に延びて形成して
もよい。
【００３４】
この時、フォーカシングコイル５の一組の対向する２辺の中央部に接着剤１２を塗布し
、トラッキングコイル６の四隅に接着剤１２を塗布することにより、充分制振することが
できる。フォーカシングコイル５の一組の対辺上に略点対称に接着剤を塗布してもよい。
尚、フォーカシングコイル５またはトラッキングコイル６を巻回するリブを平面視矩形に
形成し、四隅または一組の対辺に接着剤を塗布してもよい。
【産業上の利用可能性】
【００３５】
本考案によると、ＣＤやＤＶＤ等の光ディスクの記録または再生を行う光ピックアップ
用アクチュエータに利用することができる。
【図面の簡単な説明】
【００３６】
【図１】本考案の実施形態の光ピックアップ用アクチュエータを示す側面断面図
【図２】本考案の実施形態の光ピックアップ用アクチュエータを示す正面断面図
【図３】本考案の実施形態の光ピックアップ用アクチュエータを示す上面断面図
【図４】本考案の実施形態の光ピックアップ用アクチュエータのレンズホルダを示す底面図
【図５】本考案の実施形態の光ピックアップ用アクチュエータのレンズホルダを示す側面図
【符号の説明】
【００３７】
１    アクチュエータ
２    レンズホルダ
２ａ  軸孔
２ｂ  ボス部
２ｃ、２ｄ  リブ
３    基台
４    シャフト
５    フォーカシングコイル
６    トラッキングコイル
７    永久磁石
８    ヨーク
９    カバー
１０    プリント基板
１１    対物レンズ
１２    接着剤
【図１】
0003111407.tif 000003
【図２】
0003111407.tif 000004
【図３】
0003111407.tif 000005
【図４】
0003111407.tif 000006
【図５】
0003111407.tif 000007
【手続補正書】
【提出日】平成17年4月27日(2005.4.27)
【手続補正１】
【補正対象書類名】実用新案登録請求の範囲
【補正対象項目名】請求項４
【補正方法】変更
【補正の内容】
【請求項４】
前記フォーカシングコイルを接着する前の前記レンズホルダの振動により共振する前記
フォーカシングコイルの振動が大きい位置の上位から少なくとも２箇所に接着剤を塗布す
るとともに、前記トラッキングコイルを接着する前の前記レンズホルダの振動により共振
する前記トラッキングコイルの振動が大きい位置の上位から少なくとも２箇所に接着剤を
塗布して前記フォーカシングコイル及び前記トラッキングコイルを部分接着したことを特
徴とする請求項２または請求項３に記載の光ピックアップ用アクチュエータ。